(57)【要約】      （修正有）【課題】掛けやすい逆閉じ用傘の構造を提供する。【解決手段】本考案の掛けやすい逆閉じ用傘の構造１００にはハンドル５に欠け口５４があり、その欠け口５４の幅Ｄが大人の腕の幅より大きい。そのため、折り畳む状態の時に倒立することができ、ユーザーの手首あるいは腕が直接に欠け口５４を通して、Ｕ字部５１に直接ユーザーの手首あるいは腕に掛けることができるため、掛けやすい効果を達すのである。また、従来のようにＣ字型ハンドルの中心で掛けることがなくなり、欠け口５４を通して、一般的な傘掛けのレバーに掛けることができ、そしてこの考案が掛けやすいのみではなく、異なる傘掛けにも適用することを特徴とする。【選択図】図１
0003205643.tif 000002
【実用新案登録請求の範囲】
【請求項１】
中棒、親骨本体部、少なくても一つの防水生地、傘閉じ当接部およびハンドルを含み、
傘閉じ当接部は可動で中棒に配置され、親骨本体部の一部が中棒の上端に固定され、親骨本体部のもう一部が傘閉じ当接部と連結され、そして傘閉じ当接部の上下移動よりコントロールされ、親骨本体部が中棒に離れて開き状態あるいは親骨本体部が中棒に近づいて閉じ状態にならせ、
ハンドルが中棒の下端に配置され、ハンドルにはＵ字部、持ち手部と逆Ｕ字部を含み、持ち手部の一端とＵ字部の一端と連結され、持ち手部のもう一端が逆Ｕ字部の一端に連結され、且つＵ字部と逆Ｕ字部には間隔があってお互い映す相対設置になり、持ち手部と逆Ｕ字部の連結点が中棒の下端と連結され、
Ｕ字部が中棒との連結点より離れる一端と逆Ｕ字部が中棒との連結点より離れる一端が欠け口になり、欠け口の幅が大人の腕の幅より大きい
ことを特徴とする掛けやすい逆閉じ用傘の構造。
【請求項２】
少なくても防水生地は二つがあり、一つの防水生地が親骨本体部の上方に配置され、もう一つの防水生地が親骨本体部の下方に配置される
ことを特徴とする請求項１に記載の掛けやすい逆閉じ用傘の構造。
【請求項３】
中棒、親骨本体部、少なくても一つの防水生地、傘閉じ当接部およびハンドルを含み、
傘閉じ当接部は可動で中棒に配置され、親骨本体部の一部が中棒の上端に固定され、親骨本体部のもう一部が傘閉じ当接部と連結され、そして傘閉じ当接部の上下移動よりコントロールされ、親骨本体部が中棒に離れて開き状態あるいは親骨本体部が中棒に近づいて閉じ状態にならせ、
ハンドルが中棒の下端に配置され、その特徴がハンドルにはＵ字部、持ち手部と逆Ｕ字部を含まれ、持ち手部の一端とＵ字段の一端と連結され、持ち手部のもう一端が逆Ｕ字部の一端に連結され、且つＵ字部と逆Ｕ字部には間隔があってお互い映す相対設置になり、持ち手部と逆Ｕ字部の連結点が中棒の下端と連結され、
Ｕ字部が中棒との連結点より離れる一端と逆Ｕ字部が中棒との連結点より離れる一端が欠け口になり、欠け口の幅が大人の腕の幅より大きい
ことを特徴とする掛けやすい逆閉じ用傘の構造。
【請求項４】
少なくても防水生地は二つがあり、一つの防水生地が親骨本体部の上方に配置され、もう一つの防水生地が親骨本体部の下方に配置される
ことを特徴とする請求項３に記載の掛けやすい逆閉じ用傘の構造。
【考案の詳細な説明】
【技術分野】
【０００１】
この考案は掛けやすい逆閉じ用傘の構造に関する。
【背景技術】
【０００２】
傘は雨、雪あるいは日差しを避けて、涼しい或いは遮蔽性の効果を提供する道具である。一般的な傘にはハンドル部品があり、そのハンドル部品が開閉できる骨本体機構と連結し、また、その骨本体機構が生地と連結し、骨本体機構から生地を張ることによって遮蔽効果を出すことができる。
【０００３】
一般的な逆閉じ用傘には中華民国公告したＭ５１７５５０番の考案特許に参考することができ、手持ち不要な逆閉じ用傘に関し、中棒ユニット、骨ユニット及び遮蔽生地を含まれる。その骨ユニットが中棒ユニットに設置され、また上筒部、下筒部、複数骨ユニット、複数サブ骨ユニット、複数張り立て骨ユニット、複数連結ユニット及び複数弾力ユニットを含まれ、下筒部を中棒に滑らせるように操作することによって、骨ユニットに張り位置と閉じ位置に連動することができ、張り位置の時、その骨ユニットが中棒を中心に外へ伸展していき、また、閉じ位置の時には、その骨ユニットが中棒を中心に内側に近寄り、そしてサブ骨ユニットが二回で下筒部の移動方向に沿って閉じる状態になる。
【先行技術文献】
【特許文献】
【０００４】
【特許文献１】中華民国公告Ｍ５１７５５０番
【考案の概要】
【考案が解決しようとする課題】
【０００５】
そのハンドルがＣ字型構造であり、そしてＣ字型ハンドルの欠け口がとても小さく、大人の手首あるいは腕を通ることができないため、傘を掛ける時には、手で直接Ｃ字型ハンドルの中心のところを通ることになる。但し、異なる場所の傘掛け（図面で未表示）のレバーに掛ける時、その密閉式構造のため、傘が密閉式構造の傘掛けのレバーにＣ字型ハンドルを掛けることができず、床に置くことしかできないため、とても不便である。
【０００６】
また、前記中棒ユニットの底部がＣ字型ハンドルの曲がり頂端のところと連結していて、曲がりところで連結するため、連結の強度が弱くなりやすく、強風など強い受け力を受ける時に折りやすく、或いは分離などの損傷を受けやすくなるのである。
【０００７】
そのため、考案者が多年に亘ってこの業界の経験を用いて、上述した従来の技術の欠点に対して改良し、考案を提出するのである。
【課題を解決するための手段】
【０００８】
考案者が上記課題を解決するためになされた掛けやすい逆閉じ用傘の構造は、傘が折り畳む時に倒立することができ、ユーザーの手首あるいは腕が直接に欠け口を通して、Ｕ字部に直接ユーザーの手首あるいは腕に掛けることができるため、掛けやすい効果を達すのである。また、従来のようにＣ字型ハンドルの中心で掛けることがなくなり、欠け口を通して、一般的な傘掛けのレバーに掛けることができ、そしてこの考案が掛けやすいのみではなく、異なる傘掛けにも適用する目的を達する効果を提供することを特徴とする掛けやすい逆閉じ用傘の構造であることを要旨としている。
【０００９】
この考案のもう一つの目的が掛けやすい逆閉じ用傘構造を提供することであり、持ち手部が直接に中棒と連結させ、同軸リニア連結の強度が強いため、その支える強度を上げる効果がある。
【００１０】
上記目的を達成するには、本考案が掛けやすい逆閉じ用傘の構造を提供し、掛けやすい逆閉じ用傘の構造には中棒、親骨本体部、防水生地、傘閉じ当接部およびハンドルを含まれ、傘閉じ当接部は可動で中棒に配置され、親骨本体部の一部が中棒の上端に固定され、親骨本体部のもう一部が傘閉じ当接部と連結され、そして傘閉じ当接部の上下移動よりコントロールされ、親骨本体部が中棒に離れて開き状態あるいは親骨本体部が中棒に近づいて閉じ状態にならせ、また、ハンドルが中棒の下端に配置され、その特徴がハンドルにはＵ字部、持ち手部と逆Ｕ字部を含まれ、持ち手部の一端とＵ字段の一端と連結され、持ち手部のもう一端が逆Ｕ字部の一端に連結され、且つＵ字部と逆Ｕ字部には間隔があってお互い映す相対設置になり、持ち手部と逆Ｕ字部の連結点が中棒の下端と連結され、なお、Ｕ字部が中棒との連結点より離れる一端と逆Ｕ字部が中棒との連結点より離れる一端が欠け口になり、欠け口の幅が大人の腕の幅より大きいであることを特徴とする掛けやすい逆閉じ用傘の構造。
【００１１】
上記目的を達成するには、本考案の掛けやすい逆閉じ用傘の構造には中棒、親骨本体部、少なくても一つの防水生地、傘閉じ当接部およびハンドルを含まれ、傘閉じ当接部は可動で中棒に配置され、親骨本体部の一部が中棒の上端に固定され、親骨本体部のもう一部が傘閉じ当接部と連結され、そして傘閉じ当接部の上下移動よりコントロールされ、親骨本体部が中棒に離れて開き状態あるいは親骨本体部が中棒に近づいて閉じ状態にならせ、また、ハンドルが中棒の下端に配置され、その特徴がハンドルにはＵ字部、持ち手部と逆Ｕ字部を含まれ、持ち手部の一端とＵ字段の一端と連結され、持ち手部のもう一端が逆Ｕ字部の一端に連結され、且つＵ字部と逆Ｕ字部には間隔があってお互い映す相対設置になり、持ち手部と逆Ｕ字部の連結点が中棒の下端と連結され、なお、Ｕ字部が中棒との連結点より離れる一端と逆Ｕ字部が中棒との連結点より離れる一端が欠け口になり、欠け口の幅が大人の腕の幅より大きいであることを特徴とする掛けやすい逆閉じ用傘の構造。
【００１２】
ある実施例の中、少なくても一つの防水生地は二つがあり、一つの防水生地が親骨本体部の上方に配置され、もう一つの防水生地が親骨本体部の下方に配置される
【００１３】
本考案の上記目的と利点は次の実施例と図面より詳しく説明する。
【００１４】
もちろん、本考案が別件での運用あるいは別件での配置に異なることがあるが、選別した実施例では、本説明と図面よりその構造について詳しく説明する。
【図面の簡単な説明】
【００１５】
【図１】本考案の掛けやすい逆閉じ用傘の構造の第一実施例で折り畳む時の外観図
【図２】本考案の掛けやすい逆閉じ用傘の構造の第一実施例で張る時の下面図
【図３】本考案の掛けやすい逆閉じ用傘の構造の第一実施例での張る時の上面図
【図４】図３の部分的透視図
【図５】本考案の掛けやすい逆閉じ用傘の構造の第二実施例で折り畳む時の外観図
【図６】本考案の掛けやすい逆閉じ用傘の構造の第二実施例で張る時の下面図
【考案を実施するための形態】
【００１６】
この考案が上記目的を達成するための技術手段に関して、次の実施形態に図面を合わせて詳しく説明する。
【００１７】
同時に図１〜図６を参照する。本考案の掛けやすい逆閉じ用傘の構造１００には中棒１、親骨本体部２、少なくても一つの防水生地３、傘閉じ当接部４およびハンドル５を含まれる。
【００１８】
傘閉じ当接部４は可動で中棒１に配置され、親骨本体部２の一部が中棒１の上端に固定され、親骨本体部２のもう一部が傘閉じ当接部４と連結され、そして傘閉じ当接部４の上下移動よりコントロールされ、親骨本体部２が中棒１に離れて開き状態（図２〜図４及び図６を参照する）、あるいは親骨本体部２が中棒１に近づいて閉じ状態（図１と図５を参照する）にならせ、また、ハンドル５が中棒１の下端に配置される。
【００１９】
その中、防水生地３は二つの防水生地であり、一つの防水生地３が親骨本体部２の上方に配置され、もう一つの防水生地３が親骨本体部２の下方に配置される。
【００２０】
図１〜図４を参照する。本考案の掛けやすい逆閉じ用傘の構造１００の第一実施例である。
【００２１】
ハンドル５にはＵ字部５１、持ち手部５２及び逆Ｕ字部５３を含まれ、持ち手部５２の一端とＵ字段５１の一端と連結され、持ち手部５２のもう一端が逆Ｕ字部５３の一端に連結され、且つＵ字部５１と逆Ｕ字部５３には間隔があってお互い映す相対設置になり、持ち手部５２と逆Ｕ字部５３の連結点が中棒１の下端と連結され、なお、Ｕ字部５１が持ち手部５２との連結点より離れる一端と逆Ｕ字部５３が持ち手部５２との連結点より離れる一端が欠け口５４になり、欠け口５４の幅Ｄが大人の腕の幅より大きいである。
【００２２】
上記より、本考案の掛けやすい逆閉じ用傘の構造１００が折り畳む状態の時に倒立することができ、ユーザーの手首あるいは腕が直接に欠け口５４を通して、Ｕ字部５１に直接ユーザーの手首あるいは腕に掛けることができるため、掛けやすい効果を達すのである。また、従来のようにＣ字型ハンドルの中心で掛けることがなくなり、欠け口５４を通して、一般的な傘掛けのレバー（図面で未表示）に掛けることができ、そしてこの考案が掛けやすいのみではなく、異なる傘掛けにも適用する。
【００２３】
また、本考案で持ち手部５２が直接に中棒１と連結させ、同軸リニア連結の強度が強いため、その支える強度を上げる効果がある。
【００２４】
図５と図６を参照する。本考案の掛けやすい逆閉じ用傘の構造１００の第二実施例である。
【００２５】
ハンドル５にはＵ字部５１、持ち手部５２と背鈎部５５を含まれ、持ち手部５２の一端が中棒１の下端と連結され、Ｕ字部５１の一端が持ち手部５２と中棒１より離れる一端と連結され、背鈎部５５がＵ字部５１から中棒１より離れる一端より中棒１の上端方向に向いて内側に延伸して設置し、背鈎部５５にＵ字部５１との連結した一端から離れさせ、中棒１との間に欠け口５４を形成され、欠け口５４の幅ｄが大人の腕の幅より大きいである。
【００２６】
同じく、本考案の掛けやすい逆閉じ用傘の構造１００が折り畳む状態の時に倒立することができ、ユーザーの手首あるいは腕が直接に欠け口５４を通して、Ｕ字部５１に直接ユーザーの手首あるいは腕に掛けることができるため、掛けやすい効果を達すのである。また、従来のようにＣ字型ハンドルの中心で掛けることがなくなり、欠け口５４を通して、一般的な傘掛けのレバー（図面で未表示）に掛けることができ、そしてこの考案が掛けやすいのみではなく、異なる傘掛けにも適用する。
【００２７】
また、本考案で持ち手部５２が直接に中棒１と連結させ、同軸リニア連結の強度が強いため、その支える強度を上げる効果がある。
【００２８】
上記での実施形態には本考案を説明するために用いられる内容であり、実用新案登録請求の範囲を制限してはならなく、数値の変更あるいは同効果ユニットの置き換えも本考案の範囲に属する。
【００２９】
上記説明よりこの考案を理解する技術者に上記目的を確実に達成することができることを理解していただき、実に実用新案法の規定に符合するため、実用新案登録申請を提出する。
【符号の説明】
【００３０】
１００  掛けやすい逆閉じ用傘の構造
１      中棒
２      親骨本体部                                      
３      防水生地                                               
４      傘閉じ当接部
５      ハンドル
５１    Ｕ字部
５２    持ち手部
５３    逆Ｕ字部
５４    欠け口
５５    背鈎部
Ｄ      幅
ｄ      幅                                                     
【図１】
0003205643.tif 000003
【図２】
0003205643.tif 000004
【図３】
0003205643.tif 000005
【図４】
0003205643.tif 000006
【図５】
0003205643.tif 000007
【図６】
0003205643.tif 000008